(57)【要約】【課題】コイルバネに対する係止部の係止量を十分に確保して、コイルバネをしっかりと保持することができるバネ組立体を提供する。【解決手段】コイルバネ５０がバネ支持部材１５に支持されたバネ組立体１０であって、バネ支持部材１５は、コイルバネ５０の端部５３を支持する基部２０と、この基部２０の表面２１から立設し、コイルバネ５０の内周に配置される、バネ支持部３０とを有しており、バネ支持部３０は、基部２０の表面２１の面直方向に対して傾斜して、コイルバネ５０の内周に係止する係止部３３を有していると共に、バネ支持部３０の他の箇所よりも薄く形成された薄肉部３７が部分的に設けられている。【選択図】図６
2019015321.tif 000002
【特許請求の範囲】
【請求項１】
コイルバネがバネ支持部材に支持されたバネ組立体であって、
前記バネ支持部材は、前記コイルバネの端部を支持する基部と、該基部の表面から立設し、前記コイルバネの内周に配置される、バネ支持部とを有しており、
前記バネ支持部は、前記基部の表面の面直方向に対して傾斜して、前記コイルバネの内周に係止する係止部を有していると共に、前記バネ支持部の他の箇所よりも薄く形成された薄肉部、又は、前記バネ支持部を切欠いてなる切欠き部が、部分的に設けられていることを特徴とするバネ組立体。
【請求項２】
前記バネ支持部には、前記薄肉部が部分的に設けられており、該薄肉部は、前記バネ支持部の軸方向に延びる凹部からなる請求項１記載のバネ組立体。
【請求項３】
前記凹部は、前記バネ支持部の、前記基部の表面から所定高さ離れた位置から、同バネ支持部の軸方向の先端側に向けて設けられている請求項２記載のバネ組立体。
【請求項４】
前記凹部は、前記バネ支持部の軸方向の先端に至るまで延びており、
更に前記バネ支持部には、前記係止部に対して、前記バネ支持部の内周側に屈曲する屈曲部が設けられている請求項２又は３記載のバネ組立体。
【請求項５】
前記凹部は、前記バネ支持部の、前記コイルバネが前記基部の表面から離れて前記係止部を超える位置に、設けられている請求項２〜４のいずれか１つに記載のバネ組立体。
【請求項６】
前記バネ支持部には、前記薄肉部が部分的に設けられており、該薄肉部は、前記バネ支持部の周方向に延びる凹部からなる請求項１記載のバネ組立体。
【発明の詳細な説明】
【技術分野】
【０００１】
本発明は、複数のコイルバネを支持してなるバネ組立体に関する。
【背景技術】
【０００２】
従来から、環状の板材に複数のコイルスプリングを立設させて構成されたバネ組立体が、例えば、自動車のオートマチックトランスミッションに組み込まれるピストンを付勢するバネとして用いられている。
【０００３】
例えば、２枚の円環状プレートと圧縮コイルばねとから成り、２枚の円環状プレートに形成された突起部をかしめることにより、各円環状プレートに圧縮コイルばねを組み付けるばね組立体の製造方法が記載されている。すなわち、各円環状プレートに、それぞれ円筒状をなした突起部を形成し、該突起部を圧縮コイルばねの一方の座巻部を内周に挿入して、同座巻部の端面を円環状プレートで支持した後、圧縮コイルばねの他方の座巻部の内周からポンチを挿入して、該ポンチによって突起部の先端をカシメて拡開させて、圧縮コイルばねに係止させることによって、圧縮コイルばねが円環状にプレートに固定されるようになっている。
【先行技術文献】
【特許文献】
【０００４】
【特許文献１】特開２００５−２４００３号公報
【発明の概要】
【発明が解決しようとする課題】
【０００５】
しかしながら、上記特許文献１のばね組立体の場合、ポンチによりカシメられて拡径する、突起部が円筒状をなしているので、ポンチによりカシメる場合に、突起部を十分に拡開させることができないことがあった。この場合、ばねの内周に対する、突起部の係止量（ラップしろ）が少なくなり、ばねの保持力が十分でないことがあった。
【０００６】
したがって、本発明の目的は、コイルバネに対する係止部の係止量を十分に確保して、コイルバネをしっかりと保持することができる、バネ組立体を提供することにある。
【課題を解決するための手段】
【０００７】
上記目的を達成するため、本発明は、コイルバネがバネ支持部材に支持されたバネ組立体であって、前記バネ支持部材は、前記コイルバネの端部を支持する基部と、該基部の表面から立設し、前記コイルバネの内周に配置される、バネ支持部とを有しており、前記バネ支持部は、前記基部の表面の面直方向に対して傾斜して、前記コイルバネの内周に係止する係止部を有していると共に、前記バネ支持部の他の箇所よりも薄く形成された薄肉部、又は、前記バネ支持部を切欠いてなる切欠き部が、部分的に設けられていることを特徴とする。
【発明の効果】
【０００８】
本発明のバネ組立体によれば、バネ支持部には、薄肉部又は切欠き部が部分的に設けられているので、係止部を拡開させやすくして、コイルバネ内周に対する係止部の係止量（ラップ代）を十分に確保して、コイルバネをしっかりと保持することができる。
【図面の簡単な説明】
【０００９】
【図１】本発明に係るバネ組立体の、第１実施形態を示す分解斜視図である。
【図２】同バネ組立体において、バネ支持部をカシメる前の状態における拡大斜視図である。
【図３】同バネ組立体の斜視図である。
【図４】（ａ）は同バネ組立体において、バネ支持部をカシメる前の状態を示す斜視図、（ｂ）は同バネ組立体において、コイルバネを除いた状態の要部拡大斜視図である。
【図５】（ａ）は同バネ組立体の要部拡大斜視図、（ｂ）は同バネ組立体の平面図である。
【図６】（ａ）は図４（ａ）の断面図、（ｂ）は図５（ａ）の断面図である。
【図７】本発明に係るバネ組立体の第２実施形態を示しており、（ａ）はその要部拡大斜視図、（ｂ）は（ａ）の断面図である。
【図８】本発明に係るバネ組立体の第３実施形態を示しており、（ａ）はその要部拡大斜視図、（ｂ）は（ａ）の断面図である。
【図９】本発明に係るバネ組立体の第４実施形態を示しており、（ａ）はその要部拡大斜視図、（ｂ）は（ａ）の断面図である。
【図１０】本発明に係るバネ組立体の第５実施形態を示しており、（ａ）はその要部拡大斜視図、（ｂ）は（ａ）の断面図である。
【図１１】本発明に係るバネ組立体の第６実施形態を示しており、（ａ）はその要部拡大斜視図、（ｂ）は（ａ）の断面図である。
【発明を実施するための形態】
【００１０】
以下、図１〜６を参照して、本発明に係るバネ組立体の、第１実施形態について説明する。
【００１１】
図１に示すように、このバネ組立体１０は、コイルバネ５０がバネ支持部材１５に支持されたものである。図１及び図３に示すように、この実施形態におけるバネ組立体１０は、対向して配置された金属製の一対のバネ支持部材１５，１５を有しており、複数のコイルバネ５０の両端部５３，５３が、一対のバネ支持部材１５，１５にそれぞれ支持されて構成されている。
【００１２】
なお、このバネ組立体１０は、例えば、自動車のオートマチックトランスミッションに組み込まれる油圧制御用のピストンを付勢するための、ピストンリターン用バネとして用いることができるが、本発明のバネ組立体の適用箇所や設置箇所は特に限定されない。また、バネ支持部材１５は一つだけでもよい。
【００１３】
そして、図１、図２及び図４に示すように、バネ支持部材１５は、コイルバネ５０の端部５３を支持する基部２０と、該基部２０の表面２１から立設し、コイルバネ５０の内周に配置される、バネ支持部３０を有している。
【００１４】
また、本発明におけるバネ組立体は、図４（ｂ）及び図６（ｂ）に示すように、バネ支持部３０をカシメて、その係止部３３（後述）をコイルバネ５０の端部５３の内周に係止させて、コイルバネ５０をバネ支持部材１５に支持した状態のものである（図５（ａ）参照）。なお、図４（ａ）や図６（ａ）には、バネ支持部３０をカシメる前の状態が示されている。
【００１５】
図１に示すように、この実施形態における基部２０は、円環状をなしている。ただし、基部は円環状でなくとも、例えば、角環状や平板状等をなしていてもよく、コイルバネ５０を支持可能であればよい。
【００１６】
また、バネ支持部３０は、基部２０の周方向に均等な間隔をあけて、複数設けられている。図４に示すように、この実施形態のバネ支持部３０は、基部２０に形成された円形状の貫通孔２３の、表面２１の周縁から立設した、略円筒状をなしている。
【００１７】
なお、バネ支持部は、基部２０に形成した貫通孔２３の周縁から立設させなくとも、基部２０の表面２１から立設していればよい。また、バネ支持部は、例えば、略楕円筒状や略角筒状等してもよく、更に、周方向に連続した筒状ではなく、複数の分断した壁からなるものであってもよく、特に限定はされない。
【００１８】
そして、図６（ｂ）に示すように、このバネ支持部３０は、基部２０の表面２１の面直方向Ｍ（表面２１の面方向に対して直角な方向）に対して傾斜して、コイルバネ５０の内周に係止する係止部３３を有していると共に、バネ支持部３０の他の箇所よりも薄く形成された薄肉部３７が部分的に設けられている。
【００１９】
なお、本発明におけるバネ支持部としては、当該バネ支持部を切欠いてなる切欠き部が、部分的に設けられた構成としてもよく（この場合、バネ支持部は、上述したように、複数の分断した壁から構成される）、特に限定はされない。また、本発明における「基部の表面」とは、コイルバネ５０の端部５３を支持可能な面を意味している。
【００２０】
この実施形態におけるバネ支持部３０は、基部２０の貫通孔２３の表面２１側の周縁から、面直方向Ｍに沿って立設した円形壁状の立設部３１と、この立設部３１の先端から、バネ支持部３０の外径方向に向けて、かつ、基部２０の表面２１から離れるように、表面２１の面直方向Ｍに対して傾斜して延びる係止部３３とを有している（図４（ｂ）及び図６（ｂ）参照）。
【００２１】
ただし、上記立設部３１はなくともよく、基部２０の表面２１から係止部３３が直接延出していてもよい。また、立設部３１は、表面２１の面直方向Ｍに対して傾斜していてもよいが、係止部３３とは異なる傾斜角度であることが好ましい。
【００２２】
なお、図４（ａ）や図６（ａ）に示すように、バネ支持部３０をカシメる前の状態において、前記係止部３３は、表面２１の面直方向Ｍに対して傾斜せず、立設部３１の先端から、基部２０の表面２１の面直方向Ｍに沿って延びた形状となっている。
【００２３】
更に、バネ支持部３０には、前記係止部３３に対して、バネ支持部３０の内周側に屈曲する屈曲部３５が設けられている。図４（ｂ）や図６（ｂ）に示すように、この実施形態の屈曲部３５は、前記係止部３３の先端から、基部２０の表面２１の面直方向Ｍに沿って所定長さで延びていると共に、その先端部３５ａは、バネ支持部３０の内径方向に向けて、屈曲した形状となっている。なお、本発明の屈曲部において、「係止部に対して、バネ支持部の内周側に屈曲する」とは、図６（ｂ）の矢印Ｋ２に示すように、係止部３３の傾斜方向Ｋ１に対して、バネ支持部３０の内周側に屈曲することを意味している。
【００２４】
また、図６（ａ）に示すように、バネ支持部３０をカシメる前の状態では、前記屈曲部３５は、その先端部３５ａも含めて、全体がバネ支持部３０の内径方向に屈曲しており、かつ、屈曲部３５の先端部３５ａの内径は、カシメ用のポンチ６０の外径よりも小さく形成されている。
【００２５】
また、前記薄肉部３７は、バネ支持部３０に対して、その軸方向に延びる凹部３９からなる。この実施形態では、図４（ｂ）や図６（ｂ）に示すように、バネ支持部３０の外周において、その周方向に均等な間隔をあけて、複数の凹部３９（ここでは３個）がバネ支持部３０の軸方向に延びるように形成されており、該凹部３９によって、バネ支持部３０の他の箇所よりも薄い薄肉部３７が、バネ支持部３０に部分的に設けられている。
【００２６】
更に図５（ａ）に示すように、前記凹部３９は、バネ支持部３０の、コイルバネ５０が基部２０の表面２１から離れて係止部３３を超える位置に、設けられている。すなわち、図５（ａ）に示すように、コイルバネ５０の一方の端部５３は、基部２０の表面２１に当接して支持されているが、コイルバネ５０は、他方の端部５３側に向けて巻回されるにしたがって、基部２０の表面２１から次第に離れて、コイルバネ５０が基部２０の表面から離れて係止部３３を超える位置に所定の凹部３９が配置されている。
【００２７】
なお、この実施形態においては、複数の凹部３９は、バネ支持部３０の周方向に沿った幅が同一で、かつ、同一長さで延びた、直線溝状をなしているが、所定の凹部について、その幅や長さを、他の凹部の幅や長さと変えてもよく、また、凹部の形状を、バネ支持部の表面側に向けて幅狭にしたり或いは幅広にしたりしてもよい。更に、この実施形態の凹部３９は、バネ支持部３０の外周に均等な間隔で３個形成されているが、４個以上の凹部を形成してもよい。このように、凹部の個数や形状、配置等は、特に限定されるものではない。
【００２８】
また、図６（ｂ）に示すように、薄肉部３７は、バネ支持部３０の、基部２０の表面２１から所定高さ離れた位置に設けられている。更に、上記凹部３９は、バネ支持部３０の、基部２０の表面２１から所定高さ離れた位置から、バネ支持部３０の軸方向の先端に向けて至るまで延びている（後述する図７で説明する凹部３９Ａのように、基部２０の表面２１に至るものは除かれる）。また、この実施形態の凹部３９は、バネ支持部３０の軸方向の先端に至るまで延びている。より具体的には、この実施形態での凹部３９は、バネ支持部３０の外周において、立設部３１の先端部を超えた位置から延びていて、係止部３３や屈曲部３５の先端部３５ａに至るまで延びており、その結果、薄肉部３７は、係止部３３及び屈曲部３５にわたって形成されている。
【００２９】
上記のように、この実施形態の凹部３９は、バネ支持部３０の外周において、その軸方向に延びたものとなっているが、凹部としては、バネ支持部の内周に設けてもよく（図１１に示す第６実施形態で説明する）、バネ支持部の周方向に延びるものであってもよい（図９に示す第４実施形態や図１０に示す第５実施形態で説明する）。
【００３０】
上記コイルバネ５０は、例えば、次のようにしてバネ支持部材１５に組付けることができる。
【００３１】
まず、図２や図６（ａ）に示すように、バネ支持部３０をコイルバネ５０の一方の端部５３の内周に挿入し、該一方の端部５３を基部２０の表面２１に支持させる。このとき、コイルバネ５０の一方の端部５３には、基部２０に当接した座巻部と、基部２０から離れて立ち上がる部分とが設けられることとなる。
【００３２】
そして、コイルバネ５０の内部を通して、外径がバネ支持部３０の屈曲部３５の先端部３５ａの内径よりも大きく、先端がテーパ状をなして上記内径よりも小さく形成されたポンチ６０を、バネ支持部３０の先端部３５ａ側から、バネ支持部３０の内周に挿入する（図６（ａ）参照）。これによって、屈曲部３５の先端部３５ａが外径側に広がるように拡開し、屈曲部３５を介して係止部３３が前記座巻部の上部に押し付けられるようにカシメられて、コイルバネ５０の座巻部内周に係止するので、バネ支持部３０にコイルバネ５０の一方の端部５３を固定することができる。
【００３３】
これを各コイルバネ５０に対して繰り返し行い、かつ、各コイルバネ５０の他方の端部５３に対しても繰り返すことで、図３に示すように、一対のバネ支持部材１５，１５に複数のコイルバネ５０が組み付けられてなる、バネ組立体１０を製造することができる。
【００３４】
次に、上記構成からなるバネ組立体１０の作用効果について説明する。
【００３５】
すなわち、このバネ組立体１０においては、コイルバネ５０の端部５３の内周にバネ支持部３０を配置して、コイルバネ５０の端部５３を基部２０で支持した状態で、バネ支持部３０をカシメて、係止部３３をコイルバネ５０の内周に係止させる際に、図４（ｂ）や図６（ｂ）に示すように、バネ支持部３０に薄肉部３７が部分的に設けられているので、係止部３３を拡開させやすくすることができ（図５（ｂ）参照）、コイルバネ５０の内周に対する係止部３３の係止量（ラップしろ）を十分に確保して、コイルバネ５０をしっかりと保持することができる。
【００３６】
また、この実施形態においては、バネ支持部３０に薄肉部３７が部分的に設けられており、該薄肉部３７は、バネ支持部３０の軸方向に延びる凹部３９からなるので、バネ支持部３０をカシメて、係止部３３をコイルバネ５０の内周に係止させる際に、バネ支持部３０の、複数の凹部３９の間の部分を拡開させやすくすることができ、係止部３３を、コイルバネ５０の内周に、確実にオーバーラップさせつつ係止させることができ、コイルバネ５０の保持力をより高めることができる。
【００３７】
なお、この実施形態においては、バネ支持部３０の外周において、周方向に均等な間隔で３個の凹部３９を、軸方向に延びるように設けたので、バネ支持部３０をカシメて、係止部３３をコイルバネ５０の内周に係止させる際に、図５（ｂ）に示すように、係止部３３を、略三角形状をなすように肉厚をほぼ均等にして拡開させることができ、係止部３３を、コイルバネ５０の内周にバランスよく均等に係止させることができる。
【００３８】
更に図４（ｂ）及び図６（ｂ）に示すように、この実施形態においては、薄肉部３７を形成する凹部３９は、バネ支持部３０の、基部２０の表面２１から所定高さ離れた位置から、バネ支持部３０の軸方向の先端に向けて設けられているので、バネ支持部３０をカシメて、係止部３３をコイルバネ５０の内周に係止させる際に、コイルバネ５０の内周に対する、係止部３３の接触角θ（ここでは基部２０の表面２１の面直方向Ｍに対する係止部３３の傾斜方向Ｋ１のなす角度をいう。後述する実施形態でも同様）を大きくとることができ、コイルバネ５０の保持力を一層高めることができると共に、コイルバネ５０の傾きを抑制することができる。
【００３９】
また、図４（ｂ）や図６（ｂ）に示すように、この実施形態においては、凹部３９は、バネ支持部３０の軸方向の先端に至るまで延びており、更にバネ支持部３０には、係止部３３に対して、バネ支持部３０の内周側に屈曲する屈曲部３５が設けられている。そのため、図６（ａ）に示すように、ポンチ６０の外径が、バネ支持部３０の基部側の内径よりも小さくても、バネ支持部３０の屈曲部３５先端が内側に傾斜していることにより、バネ支持部３０を外径側に拡開するようにカシメることができる。それによって、コイルバネ５０の一端を一方の基部２０に固定した後に、コイルバネ５０の他端を他方の基部２０に固定する際にも、同じ外径のポンチ６０を用いることができる。
【００４０】
更に図５（ａ）に示すように、この実施形態においては、前記凹部３９は、バネ支持部３０の、コイルバネ５０が基部２０の表面２１から離れて係止部３３を超える位置に設けられているので、バネ支持部３０をカシメて係止部３３を拡開させるときに、コイルバネ５０が基部２０の表面２１から離れて係止部３３を超える位置でカシメ力が作用しにくくなり、コイルバネ５０がカシメ力によって傾いてしまうことを抑制することができる。
【００４１】
図７には、本発明に係るバネ組立体の、第２実施形態が示されている。なお、前記実施形態と実質的に同一部分には同符号を付してその説明を省略する。
【００４２】
この第２実施形態におけるバネ組立体１０Ａは、凹部の構造が前記第１実施形態と異なっている。すなわち、図７（ａ），（ｂ）に示すように、この第２実施形態におけるバネ支持部３０Ａは、その外周に設けた凹部３９Ａが、バネ支持部３０Ａの軸方向先端から、前記立設部３１を超えて、基部２０の表面２１に至るまで設けられており、この凹部３９Ａによって、バネ支持部３０Ａに薄肉部３７が部分的に設けられた構造をなしている。この第２実施形態においても、前記第１実施形態と同様の作用効果を得ることができる。
【００４３】
図８には、本発明に係るバネ組立体の、第３実施形態が示されている。なお、前記実施形態と実質的に同一部分には同符号を付してその説明を省略する。
【００４４】
この第３実施形態におけるバネ組立体１０Ｂは、凹部の構造が前記第１，第２実施形態と異なっている。すなわち、図８（ａ），（ｂ）に示すように、この第３実施形態におけるバネ支持部３０Ｂは、その外周に設けた凹部３９Ｂの底面（バネ支持部３０の内径側の面）に、複数の段部４０，４１が、バネ支持部３０Ｂの軸方向に沿って設けられており、この凹部３９Ｂによって、バネ支持部３０Ｂに薄肉部３７が部分的に設けられた構造をなしている。この第３実施形態においては、前記第１実施形態と同様の作用効果を得られるのに加えて、複数の段部によって凹部３９Ｂの厚さが上方ほど薄くなるように変化していることにより、カシメたときに上方ほど外径に広がるように屈曲し、コイルバネ５０の座巻部内周に対する係止部３３の接触角θをより大きくすることができる。
【００４５】
図９には、本発明に係るバネ組立体の、第４実施形態が示されている。なお、前記実施形態と実質的に同一部分には同符号を付してその説明を省略する。
【００４６】
この第４実施形態におけるバネ組立体１０Ｃは、凹部の構造が前記第１〜３の実施形態と異なっている。すなわち、図９（ａ），（ｂ）に示すように、この第４実施形態におけるバネ支持部３０Ｃは、バネ支持部３０Ｃの外周であって、立設部３１と係止部３３との間に、バネ支持部３０Ｃの周方向に沿って、環状をなした凹部３９Ｃが形成されており、この凹部３９Ｃによって、バネ支持部３０Ｃに薄肉部３７が部分的に設けられた構造をなしている。また、この凹部３９Ｃは、バネ支持部３０Ｃの、基部２０の表面２１から所定高さ離れた位置に設けられている。
【００４７】
この第４実施形態においては、前記第１実施形態と同様の作用効果を得られるのに加えて、バネ支持部３０Ｃには薄肉部３７が部分的に設けられており、該薄肉部３７は、バネ支持部３０Ｃの周方向に延びる凹部３９Ｃからなるので、バネ支持部３０Ｃをカシメて、係止部３３をコイルバネ５０の内周に係止させる際に、凹部３９Ｃを介して係止部３３を拡開させやすくすることができ、コイルバネ５０の内周に対する、係止部３３の接触角θを大きくとることができ、コイルバネ５０の保持力を一層高めることができる。
【００４８】
図１０には、本発明に係るバネ組立体の、第５実施形態が示されている。なお、前記実施形態と実質的に同一部分には同符号を付してその説明を省略する。
【００４９】
この第５実施形態におけるバネ組立体１０Ｄは、凹部の構造が前記第１〜４の実施形態と異なっている。すなわち、図１０（ａ），（ｂ）に示すように、この第５実施形態におけるバネ支持部３０Ｄは、バネ支持部３０Ｄの外周であって、立設部３１の先端側から、屈曲部３５の先端部３５ａに至る範囲で、バネ支持部３０の周方向に沿って、環状をなした凹部３９Ｄが延びており、この凹部３９Ｄによって、バネ支持部３０Ｄに薄肉部３７が部分的に設けられた構造をなしている。この第５実施形態においては、前記第１実施形態や第４実施形態と同様の作用効果を得ることができる。
【００５０】
図１１には、本発明に係るバネ組立体の、第６実施形態が示されている。なお、前記実施形態と実質的に同一部分には同符号を付してその説明を省略する。
【００５１】
この第６実施形態におけるバネ組立体１０Ｅは、凹部の構造が前記第１〜５の実施形態と異なっている。すなわち、図１１（ａ），（ｂ）に示すように、この第６実施形態におけるバネ支持部３０Ｅは、バネ支持部３０Ｅの内周に、周方向に均等な間隔をあけて、複数の凹部３９Ｅ（ここでは３個）が、バネ支持部３０Ｅの軸方向に延びるように形成されおり、この凹部３９Ｅによって、バネ支持部３０Ｅに薄肉部３７が部分的に設けられた構造をなしている。この第６実施形態においても、前記第１実施形態と同様の作用効果を得ることができる。
【００５２】
なお、本発明は、上述した実施形態に限定されるものではなく、本発明の要旨の範囲内で、各種の変形実施形態が可能であり、そのような実施形態も本発明の範囲に含まれる。
【符号の説明】
【００５３】
１０，１０Ａ，１０Ｂ，１０Ｃ，１０Ｄ，１０Ｅ  バネ組立体
１５  バネ支持部材
２０  基部
２１  表面
３０，３０Ａ，３０Ｂ，３０Ｃ，３０Ｄ，３０Ｅ  バネ支持部
３３  係止部
３５  屈曲部
３７  薄肉部
３９，３９Ａ，３９Ｂ，３９Ｃ，３９Ｄ，３９Ｅ  凹部
５０  コイルバネ
【図１】
2019015321.tif 000003
【図２】
2019015321.tif 000004
【図３】
2019015321.tif 000005
【図４】
2019015321.tif 000006
【図５】
2019015321.tif 000007
【図６】
2019015321.tif 000008
【図７】
2019015321.tif 000009
【図８】
2019015321.tif 000010
【図９】
2019015321.tif 000011
【図１０】
2019015321.tif 000012
【図１１】
2019015321.tif 000013